(57)【要約】【課題】  ブラックバースト信号等が途切れた際、ビデオサーバ装置における出力映像信号乱れを抑制可能な参照信号生成装置及び参照信号生成方法を提供する。【解決手段】  参照信号生成装置１は、ブラックバースト信号を基準にＰＬＬ制御を行って第１のビデオクロック及び第１の同期信号を生成する参照信号生成部１１と、ＰＴＰ信号を基準にＰＬＬ制御を行って第２のビデオクロック及び第２の同期信号を生成する参照信号生成部１２と、第１のビデオクロック、及び、第２のビデオクロックのうち一方を選択するビデオクロック選択部１３と、第１の同期信号、及び、第２の同期信号の一方を選択する同期信号選択部１４と、上記一方の同期信号を基準にＰＬＬ制御を行って第３のビデオクロック及び第３の同期信号を生成し、上記一方の同期信号が切り替えられた場合、同期異常を起こさない制御速度で徐々にＰＬＬ制御を行うＰＬＬ制御部１５と、を有する。【選択図】      図１
2020155982.tif 000002
【特許請求の範囲】
【請求項１】
ブラックバースト信号を基準にＰＬＬ制御を行って第１のビデオクロック及び第１の同期信号を生成する第１の参照信号生成部と、
ＰＴＰ信号を基準にＰＬＬ制御を行って第２のビデオクロック及び第２の同期信号を生成する第２の参照信号生成部と、
前記第１のビデオクロック、及び、前記第２のビデオクロックのうち一方を選択するビデオクロック選択部と、
前記第１の同期信号、及び、前記第２の同期信号の一方を選択する同期信号選択部と、
前記一方の同期信号を基準にＰＬＬ制御を行って第３のビデオクロック及び第３の同期信号を生成し、前記一方の同期信号が切り替えられた場合、同期異常を起こさない制御速度で徐々にＰＬＬ制御を行うＰＬＬ制御部と、
を有する参照信号生成装置。
【請求項２】
前記選択制御部は、フライホイールカウンタを有し、前記フライホイールカウンタのカウント値が所定の数値となるタイミングで、前記第３の同期信号の位相を制御する、
請求項１に記載の参照信号生成装置。
【請求項３】
前記選択制御部は、ビデオクロックの周波数変動の規格内で前記第３のビデオクロックの周波数を制御する、請求項１に記載の参照信号生成装置。
【請求項４】
前記第１の参照信号生成部は、
前記ブラックバースト信号を水平同期信号と垂直同期信号に分離する同期分離回路と、
第１の制御信号に応じて発振周波数を制御可能な第１の電圧制御発振器と、
前記水平同期信号と前記垂直同期信号を基準として前記第１の電圧制御発振器にＰＬＬ制御を行う位相比較器と、
を有する請求項１から３のいずれかに記載の参照信号生成装置。
【請求項５】
前記第２の参照信号生成部は、
前記ＰＴＰ信号が入力されフレーム同期信号と時刻カウンタ値を抽出するパケット分離回路と、
第２の制御信号に応じて発振周波数を制御可能な第２の電圧制御発振器と、
前記フレーム同期信号と時刻カウンタ値を基準として前記第２の電圧制御発振器にＰＬＬ制御を行う位相比較器と、
を有する請求項１から４のいずれかに記載の参照信号生成装置。
【請求項６】
前記ＰＬＬ制御部は、第３の制御信号に応じて発振周波数を制御可能な第３の電圧制御発振器と、使用されている使用同期信号を基準として第３の電圧制御発振器にＰＬＬ制御を行う第３の位相比較器と、
を有する請求項１から５のいずれかに記載の参照信号生成装置。
【請求項７】
ブラックバースト信号を基準にＰＬＬ制御を行って第１のビデオクロック及び第１の同期信号を生成し、
ＰＴＰ信号を基準にＰＬＬ制御を行って第２のビデオクロック及び第２の同期信号を生成し、
前記第１のビデオクロック、及び、前記第２のビデオクロックのうち一方を選択し、
前記第１の同期信号、及び、前記第２の同期信号の一方を選択し、
前記一方の同期信号を基準にＰＬＬ制御を行って第３のビデオクロック及び第３の同期信号を生成し、
前記一方の同期信号が切り替えられた場合、同期異常を起こさない制御速度で徐々にＰＬＬ制御を行う、
参照信号生成方法。
【請求項８】
コンピュータに、
ブラックバースト信号を基準にＰＬＬ制御を行って第１のビデオクロック及び第１の同期信号を生成する処理と、
ＰＴＰ信号を基準にＰＬＬ制御を行って第２のビデオクロック及び第２の同期信号を生成する処理と、
前記第１のビデオクロック、及び、前記第２のビデオクロックのうち一方を選択する処理と、
前記第１の同期信号、及び、前記第２の同期信号の一方を選択する処理と、
前記一方の同期信号を基準にＰＬＬ制御を行って第３のビデオクロック及び第３の同期信号を生成する処理と、
前記一方の同期信号が切り替えられた場合、同期異常を起こさない制御速度で徐々にＰＬＬ制御を行う処理と、
を実行させるプログラム。
【発明の詳細な説明】
【技術分野】
【０００１】
本発明は、参照信号生成装置及び参照信号生成方法に関する。
【背景技術】
【０００２】
ビデオサーバ装置においては、映像信号の基準となる参照信号、すなわちブラックバースト信号を他の装置から取得し、これに同期したビデオクロックをＰＬＬ（Ｐｈａｓｅ  Ｌｏｃｋ  Ｌｏｏｐ）で作成する参照信号生成装置が用いられている。また近年、ビデオサーバ装置は、インターネット経由の映像信号に関しては、ＰＴＰ（Ｐｒｅｃｉｓｉｏｎ  Ｔｉｍｅ  Ｐｒｏｔｏｃｏｌ）グランドマスタとの間でメッセージ（ＰＴＰ信号）を送受信して同期させた参照信号およびビデオクロックを作成する参照信号生成装置が用いられている。
【０００３】
例えば特許文献１には、関連する位相同期回路が開示されている。特許文献１には、位相同期回路にブラックバースト信号が参照信号として入力され、位相同期回路がブラックバースト信号を参照信号として位相同期したクロックパルスを出力する技術が開示されている。位相同期回路は、水平・垂直同期分離回路と、鋸歯状波信号生成回路と、サンプルホールド回路と、ローパスフィルタ回路と、ＶＣＯ（Ｖｏｌｔａｇｅ  Ｃｏｎｔｒｏｌｌｅｄ  Ｏｓｃｉｌｌａｔｏｒ：電圧制御発振器）と、マスク信号生成回路とを備える。水平・垂直同期分離回路は、ブラックバースト信号から水平同期分離信号及び垂直同期分離信号をそれぞれ分離し、デューティ５０％の信号に波形整形した水平参照信号を生成する。
【０００４】
鋸歯状波信号生成回路は、水平参照信号の立下りタイミングから３Ｖ／１μｓの上り傾斜を有した鋸歯状波信号を生成し、サンプルホールド回路に出力する。マスク信号生成回路は、ＶＣＯから出力されたクロックパルスを分周し、マスク処理期間以外の水平同期信号の期間内においてサンプリングを行うためのサンプリングパルス信号を生成する。サンプルホールド回路は、鋸歯状波信号の３Ｖ／１μｓの上り傾斜部分を、サンプリングパルス信号でサンプリングする。このサンプリングした電位はコンデンサに保持（ホールド）され、サンプル期間以外（ＯＦＦ時）は所定の時定数をもって放電される。ローパスフィルタ回路は、コンデンサの電位であるホールド信号から低域成分のみを通過させて検出信号としてＶＣＯ発振回路に出力する。ＶＣＯは、検出信号の電圧に基づきクロックパルスを発振して出力する。
【０００５】
また特許文献２には、ＰＴＰグランドマスタとＰＴＰに従って時刻同期する送信機が開示されている。ＰＴＰグランドマスタがＰＴＰスレーブである送信機にＡｎｎｏｕｎｃｅメッセージを送信することによって、ＰＴＰグランドマスタとＰＴＰスレーブとの関係が確立される。次に、ＰＴＰグランドマスタがＰＴＰスレーブにＳｙｎｃメッセージを送信する。Ｓｙｎｃメッセージには、メッセージの送信時刻（ｔ１）が含まれ、ＰＴＰスレーブが受信すると到着時刻（ｔ２）が記録される。ＰＴＰスレーブがＰＴＰグランドマスタにＤｅｌａｙ＿Ｒｅｑメッセージを送信する。Ｄｅｌａｙ＿Ｒｅｑメッセージには、メッセージの送信時刻の実際の値（ｔ３）が記録される。ＰＴＰグランドマスタがＰＴＰスレーブにＤｅｌａｙ＿Ｒｅｓｐメッセージを送信する。Ｄｅｌａｙ＿Ｒｅｓｐメッセージには、Ｄｅｌａｙ＿Ｒｅｑメッセージの実際の到着時刻（ｔ４）が記録される。
【０００６】
ＰＴＰスレーブは、ｔ１、ｔ２、ｔ３、およびｔ４を使用して、往復の遅延時間とＰＴＰグランドマスタの時刻とＰＴＰスレーブの時刻とのオフセット（時間差）を算出する。片道の遅延時間が往復の遅延時間の半分であると仮定すると、ＰＴＰスレーブのオフセットは以下の式によって算出される。
ＰＴＰスレーブのクロックのオフセット＝（ｔ２−ｔ１）−（片道の遅延時間）
（片道の遅延時間）＝｛（Ｔ２−Ｔ１）＋（Ｔ４−Ｔ３）｝／２
ＰＴＰスレーブが上記の処理を１秒間に複数回繰り返し、処理結果のオフセット値の平滑化を行い時刻情報にフィードバックすることによって、ＰＴＰグランドマスタとの時刻の同期が維持される。
【０００７】
送信機は、映像信号受信部、ＩＰ（Ｉｎｔｅｒｎｅｔ  Ｐｒｏｔｏｃｏｌ）パケット生成部、ＰＴＰ制御部、ＰＴＰタイムスタンプカウンタ、を備える。映像信号受信部は、分配された映像信号を受信する。ＩＰパケット生成部は、映像信号をＩＰ伝送するために、受信した映像信号からＲＴＰ（Ｒｅａｌｔｉｍｅ  Ｔｒａｎｓｐｏｒｔ  Ｐｒｏｔｏｃｏｌ）／ＵＤＰ（Ｕｓｅｒ  Ｄａｔａｇｒａｍ  Ｐｒｏｔｏｃｏｌ）／ＩＰプロトコルで規定されたＩＰパケットを生成する。ＰＴＰ制御部は、ＰＴＰグランドマスタからＰＴＰのメッセージを受信し、ＰＴＰグランドマスタとの間で時刻同期を行う。その時刻同期に基づいて、ＰＴＰタイムスタンプカウンタがカウントアップされ、ＰＴＰタイムスタンプカウンタが更新されるクロックに同期したクロックをリファレンスクロックとして受信して、そのリファレンスクロックに基づいて、ＰＬＬまたはＤＬＬがクロックを作成する。
【先行技術文献】
【特許文献】
【０００８】
【特許文献１】特開２００８−１４７９０７号公報
【特許文献２】特開２０１８−０４２０１９号公報
【発明の概要】
【発明が解決しようとする課題】
【０００９】
例えばビデオサーバ装置にブラックバースト信号を供給している装置のメンテナンスや故障によって、ブラックバースト信号入力が途切れた際には、ビデオサーバ装置において出力映像信号の乱れが発生する恐れがある。また、ブラックバースト信号入力が途切れた際にＶＣＯ発振回路がフリーランの状態となるため、ブラックバースト信号が復帰した初期にも出力映像信号の乱れが発生する可能性が高い。
【００１０】
本発明は、ブラックバースト信号及びＰＴＰ信号の入力が途切れた際、及び、途切れた後に復帰した際のビデオサーバ装置における出力映像信号乱れを抑制可能な参照信号生成装置及び参照信号生成方法を提供することを主な目的としている。
【課題を解決するための手段】
【００１１】
本発明の１つの側面による参照信号生成装置は、ブラックバースト信号を基準にＰＬＬ制御を行って第１のビデオクロック及び第１の同期信号を生成する第１の参照信号生成部と、ＰＴＰ信号を基準にＰＬＬ制御を行って第２のビデオクロック及び第２の同期信号を生成する第２の参照信号生成部と、前記第１のビデオクロック、及び、前記第２のビデオクロックのうち一方を選択するビデオクロック選択部と、前記第１の同期信号、及び、前記第２の同期信号の一方を選択する同期信号選択部と、前記一方の同期信号を基準にＰＬＬ制御を行って第３のビデオクロック及び第３の同期信号を生成し、前記一方の同期信号が切り替えられた場合、同期異常を起こさない制御速度で徐々にＰＬＬ制御を行うＰＬＬ制御部と、を有する。
【００１２】
また本発明の１つの側面による参照信号生成方法は、ブラックバースト信号を基準にＰＬＬ制御を行って第１のビデオクロック及び第１の同期信号を生成し、ＰＴＰ信号を基準にＰＬＬ制御を行って第２のビデオクロック及び第２の同期信号を生成し、前記第１のビデオクロック、及び、前記第２のビデオクロックの一方を選択し、前記第１の同期信号、及び、前記第２の同期信号の一方を選択し、前記一方の同期信号を基準にＰＬＬ制御を行って第３のビデオクロック及び第３の同期信号を生成し、前記一方の同期信号が切り替えられた場合、同期異常を起こさない制御速度で徐々にＰＬＬ制御を行う。
【発明の効果】
【００１３】
本発明の上記側面によれば、ブラックバースト信号及びＰＴＰ信号の入力が途切れた際、及び、途切れた後に復帰した際に、ビデオサーバ装置における出力映像信号乱れを抑制することができる。
【図面の簡単な説明】
【００１４】
【図１】図１は、第１の実施形態の参照信号生成装置の構成を示すブロック図である。
【図２】図２は、図１のビデオクロック選択部、同期信号選択部及びＰＬＬ制御部の第１の動作例を示す図である。
【図３】図３は、図１のビデオクロック選択部、同期信号選択部及びＰＬＬ制御部の第２の動作例を示す図である。
【図４】図４は、第１の実施形態の参照信号生成方法の動作を示すフローチャートである。
【図５】図５は、第２の実施形態の参照信号生成装置の構成を示すブロック図である。
【図６】図６は、実施形態の各部を実現するコンピュータの構成の一例を示す図である。
【発明を実施するための形態】
【００１５】
次に例示的な第１の実施形態について図面を参照して説明する。図１は、第１の実施形態の参照信号生成装置の構成の一例を示すブロック図である。なお本実施形態の参照信号生成装置は、例えば、ビデオサーバ装置に搭載されている。
【００１６】
図１に示すように、参照信号生成装置１は、ブラックバースト信号を基準にＰＬＬ制御を行ってビデオクロック及び同期信号を生成する参照信号生成部（第１の参照信号生成部）１１と、ＰＴＰ信号を基準にＰＬＬ制御を行ってビデオクロック及び同期信号を生成する参照信号生成部（第２の参照信号生成部）１２を備えている。
【００１７】
また参照信号生成装置１は、参照信号生成部１１が生成する第１のビデオクロック、及び、参照信号生成部１２が生成する第２のビデオクロック、の一方を選択するビデオクロック選択部１３を備えている。ビデオクロック選択部１３は、本実施形態の参照信号生成装置が搭載されているビデオサーバ装置内で使用されるビデオクロックを選択する。またメンテナンス等のため、ビデオサーバ装置内で使用されている信号が一時的に途切れた場合、ビデオクロック選択部１３は、参照信号生成部１１が生成する第１のビデオクロック、及び、参照信号生成部１２が生成する第２のビデオクロックのうち、途切れていない信号に対応するビデオクロックに選択を切り替える。
【００１８】
また参照信号生成装置１は、参照信号生成部１１が生成する第１の同期信号、及び、参照信号生成部１２が生成する第２の同期信号、の一方を選択する同期信号選択部１４を備えている。同期信号選択部１４は、本実施形態の参照信号生成装置が搭載されているビデオサーバ内で使用される同期信号（以下、使用同期信号ともいう）を選択する。メンテナンス等のため、ビデオサーバ装置内で使用されている信号が一時的に途切れた場合、同期信号選択部１４は、ビデオクロック選択部１３と同様に、参照信号生成部１１が生成する第１の同期信号、及び、参照信号生成部１２が生成する第２の同期信号のうち、途切れていない信号に対応する同期信号を選択する。
【００１９】
また参照信号生成装置１は、ビデオサーバ内で使用される使用同期信号を基準にビデオクロックのＰＬＬ制御を行うＰＬＬ制御部１５を備えている。すなわち、本発明の参照信号生成装置１は、ブラックバースト信号を基準にＰＬＬ制御を行う参照信号生成部１１と、ＰＴＰ信号を基準にＰＬＬ制御を行う参照信号生成部１２の後段に、ビデオサーバ内で使用される使用同期信号を基準にＰＬＬ制御を行うＰＬＬ制御部１５を備える。ＰＬＬ制御部１５には、ビデオクロック選択部１３で選択されているビデオクロック、及び、同期信号選択部１４で選択されている同期信号が入力される。ＰＬＬ制御部１５は、同期信号選択部１４によって選択されている使用同期信号を基準としてＰＬＬ制御を行って、ビデオクロック（第３のビデオクロック）を生成する。またＰＬＬ制御部１５は、そのビデオクロックで内部のカウンタを回して使用同期信号に同期した同期信号（第３の同期信号）を生成する。
【００２０】
メンテナンス等のため、使用同期信号が途切れ、途切れていない他方の同期信号に切り替えられた場合には、短時間に同期信号の位相のズレを解消させると映像乱れにつながるので、ＰＬＬ制御部１５は、一定のスピードで徐々に位相のズレを戻すようにＰＬＬ制御を行う。すなわち本実施形態のＰＬＬ制御部１５は、同期異常を起こさない制御速度で徐々にＰＬＬ制御を行って、第３の同期信号の位相を、切り替え後の同期信号に位相を近づける。ＰＬＬ制御部１５は、同期信号が切り替えられた場合、使用されていた同期信号に合わせて生成されている同期信号と、切り替えられた同期信号との間に位相のズレが生じている場合、同期信号のズレ量を検出して、ＰＬＬ制御部１５内の例えばＶＣＯの制御電圧を制御して、両者の同期信号の位相がほぼ一致するようになるまで徐々に調整する。
【００２１】
図２は、図１のビデオクロック選択部、同期信号選択部及びＰＬＬ制御部の第１の動作例を示す図である。第１の動作例は、ブラックバースト信号に同期したビデオクロック及び同期信号がビデオサーバ内で用いられている状況で、メンテナンス等のため、ブラックバースト信号が一時的に途切れる場合の動作例である。
【００２２】
図２に示すように、まずブラックバースト信号が一時的に途切れる前及び第１の期間においては、ブラックバースト信号に同期したビデオクロック及び同期信号が用いられている。この第１の期間には、ＰＬＬ制御部１５は、使用していたブラックバースト信号を基準にしてＰＬＬ制御を行って、ブラックバースト信号に同期したビデオクロック及び同期信号を生成している。
【００２３】
ここでメンテナンス等のため、ブラックバースト信号が一時的に途切れるとする。この場合、図２に示すように、ビデオクロック選択部１３は、ビデオクロックを、ＰＴＰ信号から生成されるビデオクロックに切り替える。また同期信号選択部１４は、同期信号を切り替える。ＰＬＬ制御部１５は、第１の期間の後の第２の期間においては、第１の期間で使用していたブラックバースト信号に同期した同期信号を速やかに制御せず、そのまま継続して出力するので、ＰＬＬ制御部１５から出力される同期信号は、ブラックバースト信号に同期した同期信号の位相のままとなる。
【００２４】
その後、図２に示すように、ＰＬＬ制御部１５は、切り替えられたＰＴＰ信号に同期している同期信号を基準としてＰＬＬ制御を行うが、同期異常を起こさない制御速度で徐々にＰＬＬ制御を行い、同期信号の位相を、ＰＴＰ信号に同期している同期信号に徐々に近づける。
【００２５】
図３は、図１のビデオクロック選択部、同期信号選択部及びＰＬＬ制御部の第２の動作例を示す図である。第２の動作例は、ＰＴＰ信号から生成されたビデオクロック及び同期信号がビデオサーバ装置内で用いられている状況で、ＰＴＰ信号が一時的に途切れる場合の動作例である。
【００２６】
図３に示すように、まずブラックバースト信号が一時的に途切れる前及び第１の期間においては、ＰＴＰ信号に同期したビデオクロック及び同期信号が用いられている。この第１の期間には、ＰＬＬ制御部１５は、使用していたＰＴＰ信号を基準にしてＰＬＬ制御を行って、ＰＴＰ信号に同期したビデオクロック及び同期信号を生成している。
【００２７】
ここでメンテナンス等のため、ＰＴＰ信号が一時的に途切れるとする。この場合、図３に示すように、ビデオクロック選択部１３は、ビデオクロックを、ブラックバースト信号から生成されるビデオクロックに切り替える。また同期信号選択部１４は、同期信号を切り替える。ＰＬＬ制御部１５は、第１の期間の後の第２の期間においては、第１の期間で使用していたＰＴＰ信号に同期した同期信号を速やかに制御せず、そのまま継続して出力するので、ＰＬＬ制御部１５から出力される同期信号は、ＰＴＰ信号に同期した同期信号の位相のままとなる。
【００２８】
その後、図３に示すように、ＰＬＬ制御部１５は、切り替えられたブラックバースト信号に同期している同期信号を基準としてＰＬＬ制御を行うが、同期異常を起こさない制御速度で徐々にＰＬＬ制御を行い、同期信号の位相を、ブラックバースト信号に同期している同期信号に徐々に近づける。
【００２９】
図４は、第１の実施形態の参照信号生成方法を示すフローチャートである。
【００３０】
まず参照信号生成部１１は、ブラックバースト信号を基準にＰＬＬ制御を行ってブラックバースト信号に同期したビデオクロック及び同期信号を生成する（ステップＳ１）。また参照信号生成部１２は、ＰＴＰ信号を基準にＰＬＬ制御を行ってＰＴＰ信号に同期したビデオクロック及び同期信号を生成する（ステップＳ２）。そしてビデオクロック選択部１３は、参照信号生成部１１が生成する第１のビデオクロック、及び、参照信号生成部１２が生成する第２のビデオクロックのうち、ビデオサーバ装置内で使用されている一方を選択する。また同期信号選択部１４は、参照信号生成部１１が生成する第１の同期信号、及び、参照信号生成部１２が生成する第２の同期信号のうち、ビデオサーバ装置内で使用されている一方（使用同期信号）を選択する。またＰＬＬ制御部１５は、使用同期信号を基準にＰＬＬ制御を行って使用同期信号に同期した第３のビデオクロック及び第３の同期信号を生成する（ステップＳ３）。
【００３１】
ここでブラックバースト信号とＰＴＰ信号の一方が途切れたか判断され、一方が途切れたと判断されると、ビデオクロック選択部１３は、途切れていない信号に対応するビデオクロックに切り替える。また同期信号選択部１４は、途切れていない信号に対応する同期信号に切り替える（ステップＳ４、Ｓ５）。ビデオクロック及び同期信号が切り替えられると、ＰＬＬ制御部１５は、第３の同期信号の位相を、同期異常が発生しない制御速度で、切り替えられた同期信号の位相に徐々に近づけるよう、ＰＬＬ制御を行う（ステップＳ６）。
【００３２】
以上説明したように、本実施形態によれば、メンテナンス等のため使用されていた同期信号が途切れても、同期信号が切り替えられ、同期異常を起こすことなく、徐々に切り替え後の同期信号に同期する状態に制御される。このような構成により、映像信号の基準となる参照信号生成装置のメンテナンスや故障の際、装置から出力される映像信号において同期異常が起きることがなく、ビデオサーバ装置での映像信号出力を継続することが可能となる。
【００３３】
なお図１に示す第１の実施形態及び後述の他の実施形態の情報伝送システムの各構成要素は、機能単位のブロックを示している。各実施形態の情報伝送システムの各構成要素の一部又は全部は、例えば図６に示すようなコンピュータ５０とプログラムとの任意の組み合わせにより実現されてもよい。コンピュータ５０は、一例として、以下のような構成を含む。
【００３４】
・ＣＰＵ（Ｃｅｎｔｒａｌ  Ｐｒｏｃｅｓｓｉｎｇ  Ｕｎｉｔ）５１
・ＲＯＭ（Ｒｅａｄ  Ｏｎｌｙ  Ｍｅｍｏｒｙ）５２
・ＲＡＭ（Ｒａｎｄｏｍ  Ａｃｃｅｓｓ  Ｍｅｍｏｒｙ）５３
・ＲＡＭ５３にロードされるプログラム５４
・プログラム５４を格納する記憶装置５５
・記録媒体５６の読み書きを行うドライブ装置５７
・通信ネットワーク５９と接続する通信インタフェース５８
・データの入出力を行う入出力インタフェース６０
・各構成要素を接続するバス６１
各実施形態の各構成要素は、これらの機能を実現するプログラム５４をＣＰＵ５１が取得して実行することで実現される。例えば、図１の参照信号生成装置の例では、参照信号生成部１１は、プログラム５４を取得したＣＰＵ５１が、プログラム５４に基づき、ブラックバースト信号を基準にＰＬＬ制御を行ってビデオクロック及び同期信号を生成する処理を実行することで機能が実現されてもよい。
【００３５】
また参照信号生成部１２は、プログラム５４を取得したＣＰＵ５１が、プログラム５４に基づき、ＰＴＰ信号を基準にＰＬＬ制御を行ってビデオクロック及び同期信号を生成する処理を実行することで機能が実現されてもよい。
【００３６】
またビデオクロック選択部１３は、プログラム５４を取得したＣＰＵ５１が、プログラム５４に基づき、第１のビデオクロック及び第２のビデオクロックの一方が途切れたと検知すると、途切れていない他方のビデオクロックを選択する処理を実行することで機能が実現されてもよい。
【００３７】
また同期信号選択部１４は、プログラム５４を取得したＣＰＵ５１が、プログラム５４に基づき、第１の同期信号及び第２の同期信号の一方が途切れたと検知すると、使用されている使用同期信号を選択する処理を実行することで機能が実現されてもよい。
【００３８】
またＰＬＬ制御部１５は、プログラム５４を取得したＣＰＵ５１が、プログラム５４に基づき、一方の同期信号を基準にＰＬＬ制御を行って第３のビデオクロック及び第３の同期信号を生成する処理、及び、一方の同期信号が切り替えられた場合、同期異常を起こさない制御速度で徐々にＰＬＬ制御を行う処理、を実行することで機能が実現されてもよい。
【００３９】
各実施形態の各構成要素の機能を実現するプログラム５４は、例えば、予め記憶装置５５やＲＯＭ５２やＲＡＭ５３に格納されており、必要に応じてＣＰＵ５１が読み出すように構成されてもよい。またプログラム５４は、通信ネットワーク５９を介してＣＰＵ５１に供給されてもよいし、予め記録媒体５６に格納されており、ドライブ装置５７が当該プログラムを読み出してＣＰＵ５１に供給してもよい。
【００４０】
次に第２の実施形態について説明する。図５は第２の実施形態の参照信号生成装置の構成を示すブロック図である。図５に示すように、本実施形態の参照信号生成装置２の参照信号生成部２１は、ブラックバースト信号を水平同期信号と垂直同期信号に分離する同期分離回路２１１を備える。また参照信号生成部２１は、制御信号に応じて発振周波数を制御可能なＶＣＯ２１３と、水平同期信号と垂直同期信号を基準としてＶＣＯ２１３にＰＬＬ制御を行う位相比較器２１２を備える。またブラックバースト信号に同期したビデオクロックがＶＣＯ２１３から出力され、ブラックバースト信号に同期した同期信号が位相比較器２１２から出力される。
【００４１】
また参照信号生成部２２は、ＰＴＰ信号が入力されフレーム同期信号（垂直同期信号）と時刻カウンタ値を抽出するパケット分離回路２２１を備える。また参照信号生成部２２は、制御信号に応じて発振周波数を制御可能なＶＣＯ２２３と、フレーム同期信号と時刻カウンタ値を基準としてＶＣＯ２２３にＰＬＬ制御を行う位相比較器２２２を備える。またＰＴＰ信号に同期したビデオクロックがＶＣＯ２２３から出力され、ＰＴＰ信号に同期した同期信号が位相比較器２２２から出力される。
【００４２】
なお本実施形態のビデオクロック選択部１３は、第１の実施形態と同様であり、参照信号生成部１１が生成する第１のビデオクロック、及び、参照信号生成部１２が生成する第２のビデオクロック、のうちビデオサーバ装置内で使用されるビデオクロックを選択する。ビデオクロック選択部１３は、位相比較器２１２及び２２２から出力される同期信号を検出する。なおビデオクロックが例えば７４．２５ＭＨｚの場合、水平同期信号はビデオクロックで２２００クロック後にＬＯＷに落ちる。前回の水平同期信号から２２００クロックの前後に水平同期信号がＬＯＷに落ちなければビデオクロック選択部１３は同期信号が途切れたと判断する。ビデオクロック選択部１３は、同期信号が途切れたと判断すると、参照信号生成部１１が生成する第１のビデオクロック、及び、参照信号生成部１２が生成する第２のビデオクロックのうち、途切れていないビデオクロックに切り替える。
【００４３】
また本実施形態の同期信号選択部１４も第１の実施形態と同様であり、参照信号生成部１１が生成する第１の同期信号、及び、参照信号生成部１２が生成する第２の同期信号、のうちビデオサーバ装置内で使用される同期信号を選択する。また、使用同期信号が途切れたと判断すると、同期信号選択部１４は、参照信号生成部１１が生成する第１の同期信号、及び、参照信号生成部１２が生成する第２の同期信号のうち、途切れていない同期信号に切り替える。
【００４４】
また本実施形態のＰＬＬ制御部２５は、制御信号に応じて発振周波数を制御可能なＶＣＯ２５２と、ビデオサーバ装置内で使用されている使用同期信号を基準としてＶＣＯ２５２にＰＬＬ制御を行う位相比較器２５１を備えて構成される。位相比較器２５１には、ビデオクロック選択部１３で選択されているビデオクロック、及び、同期信号選択部１４で選択されている同期信号が入力される。位相比較器２５１は、使用同期信号の位相を基準にビデオクロックのＰＬＬ制御を行い、同期信号選択部１４によって選択されている使用同期信号を基準としてＰＬＬ制御を行い、ＶＣＯ２５２はビデオクロック（第３のビデオクロック）を生成する。
【００４５】
例えば図２のように、ブラックバースト信号に同期した同期信号が途切れたと判断すると、ビデオクロック選択部１３は、位相比較器２５１に与えるクロックを、ＰＴＰ信号に同期したビデオクロックに切り替える。同期信号選択部１４は、同期信号を、ＰＴＰ信号に同期した同期信号に切り替える。このときＰＬＬ制御部２５で生成されるビデオクロックと位相は異なるが周波数自体は同じなので、切り替え前後でＶＣＯ１５２から生成されるビデオクロック周波数は変化しない。また切り替え前後で位相比較器２５１の内部のカウンタにより生成される第３の同期信号の位相は変化せず、同期異常を起こすことはない。
【００４６】
そしてＰＬＬ制御部２５は、ＰＴＰ信号に同期した同期信号を基準としてＶＣＯ２５２のＰＬＬ制御を開始する。しかしながら途切れていない他方の同期信号に切り替えられた場合に、短時間に位相のズレを解消させると映像乱れにつながるので、位相比較器２５１は、制御電圧を調整して、一定のスピードで位相のズレを戻すようにＰＬＬ制御電圧を徐々に制御する。ここで「徐々に制御する」とは、ビデオクロックの規格の範囲内でビデオクロックの周波数を変動させるようＰＬＬ制御電圧を調整することを言う。例えば、位相比較器２５１が例えばフライホイールカウンタを備え、フライホイールカウンタのカウント値が所定の数値となるタイミングで、ＰＬＬ制御電圧を一定の割合で加算・減算して第３の同期信号の位相を制御する。このことで位相比較器２５１は、ビデオクロックが規格内に入る範囲でＰＬＬ制御を行うことができる。
【００４７】
また図３のように、ＰＴＰ信号に同期した同期信号が途切れたと判断すると、ビデオクロック選択部１３は、位相比較器２５１に与えるクロックを、ブラックバースト信号に同期したビデオクロックに切り替える。同期信号選択部１４は、同期信号を、ブラックバースト信号に同期した同期信号に切り替える。このときＰＬＬ制御部２５で生成されるビデオクロックと位相は異なるが周波数自体は同じなので、切り替え前後でＶＣＯ１５２から生成されるビデオクロック周波数は変化しない。また切り替え前後で位相比較器２５１の内部のカウンタにより生成される第３の同期信号の位相は変化せず、同期異常を起こすことはない。
【００４８】
そしてＰＬＬ制御部２５は、ブラックバースト信号に同期した同期信号を基準としてＶＣＯ２５２のＰＬＬ制御を開始する。上述のように、途切れていない他方の同期信号に切り替えられた場合に、短時間に位相のズレを解消させると映像乱れが発生する。このため位相比較器２５１は、上述のようにフライホイールカウンタが所定の値の時に、ＰＬＬ制御電圧を一定の割合で加算・減算することで位相比較器２５１は、ビデオクロックが規格内に入る範囲でＰＬＬ制御を行い、一定のスピードで位相のズレを戻すようにＰＬＬ制御電圧を徐々に制御する。
【００４９】
以上説明した第２の実施形態によっても、メンテナンス等のため使用されていた同期信号が途切れても、同期信号が切り替えられ、同期異常を起こすことなく、徐々に切り替え後の同期信号に同期する状態に制御される。このような構成により、映像信号の基準となる参照信号生成装置のメンテナンスや故障の際、装置から出力される映像信号において同期異常が起きることがなく、ビデオサーバ装置での映像信号出力を継続することが可能となる。
【００５０】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００５１】
１、２    参照信号生成装置
１１、１２、２１、２２    参照信号生成部
１３    ビデオクロック選択部
１４    同期信号選択部
１５    ＰＬＬ制御部
２１１    同期分離回路
２１２、２２２、２５１    位相比較器
２１３、２２３、２５２    ＶＣＯ
２２１    パケット分離回路
【図１】
2020155982.tif 000003
【図２】
2020155982.tif 000004
【図３】
2020155982.tif 000005
【図４】
2020155982.tif 000006
【図５】
2020155982.tif 000007
【図６】
2020155982.tif 000008